(57)【特許請求の範囲】
【請求項１】
アンテナ出力端子のある部屋に配置することができ、第１の表示手段にテレビ信号を出力することが可能な第１の電力線通信装置および第２の表示手段にテレビ信号を出力することが可能な第２の電力線通信装置と電力線通信を行うテレビ信号配信装置であって、
前記第１の電力線通信装置と電力線を介して接続することが可能な第１の電源コネクタと、
前記第２の電力線通信装置と接続することが可能な第２の電源コネクタと、
前記第１の電力線通信装置から前記第１の電源コネクタを介して送られるチャンネル選択信号によって所望のチャンネルを選択する第１のチャンネル制御部と、
前記第２の電力線通信装置から前記第２の電源コネクタを介して送られるチャンネル選択信号によって所望のチャンネルを選択する第２のチャンネル制御部と、
前記第１のチャンネル制御部により選択されたチャンネルに対応するテレビ信号を電力線通信用信号に変換し、電力線通信用信号を前記第１の電力線通信装置に前記第１の電源コネクタを介して送信する第１の電力線モデム部と、
前記第２のチャンネル制御部により選択されたチャンネルに対応するテレビ信号を電力線通信用信号に変換し、電力線通信用信号を前記第２の電力線通信装置に前記第２の電源コネクタを介して送信する第２の電力線モデム部と、
電力線より前記第１の電源コネクタを介して供給される電力を、前記第１のチャンネル制御部、前記第２のチャンネル制御部、前記第１の電力線モデム部および前記第２の電力線モデム部に供給するとともに、前記第２の電源コネクタを介して前記第２の電力線通信装置および前記第２の表示手段に供給する単一の電源供給部と、を有し、
前記第１のチャンネル制御部、前記第２のチャンネル制御部、前記第１の電力線モデム部、前記第２の電力線モデム部および前記電源供給部を内蔵することを特徴とするテレビ信号配信装置。
【請求項２】
前記電力供給部は、電力線通信用信号に対して高インピーダンスであることを特徴とする請求項１記載のテレビ信号配信装置。
【発明の詳細な説明】
【０００１】
【発明の属する技術分野】
本発明は、アンテナ出力端子のある部屋に配置され、電力線を通信媒体としてテレビ信号を各部屋に配信するＴＶ信号配信装置と、アンテナ出力端子のない部屋に配置され、前記テレビ配信装置から配信されるテレビ信号を受信するＴＶ信号受信装置とを有するテレビ信号配信システムに関するものである。
【０００２】
【従来の技術】
従来、テレビを設置する場合、部屋に設置されたアンテナ出力端子とテレビの入力端子とを同軸ケーブルを用いて接続する。この設置方法にあっては、テレビの設置場所は暗黙のうちにテレビ用のアンテナ出力端子がある部屋に限定されてしまい、レイアウトの自由度を低くする。また、希望のレイアウトにするためには、長いケーブルを用いて部屋の中を走らせる必要があり、景観を損なわせる可能性がある上、レイアウト変更の度に接続のための手間が必要となる。
【０００３】
また、景観を損なわずに各部屋でテレビを視聴できる環境を構築する方法としては、壁の内側に別途同軸ケーブルによる専用線の設置工事を行う方法と、信号伝送手段として無線を利用する方法がある。しかしながら、前者の方法はコストがかかり、後者は異なる部屋間や、金属製の壁、障害物が多い家屋などでは電波が遮蔽され、安定した受信ができないという不具合がある。
【０００４】
さらに、テレビ信号を独自の伝送用信号に変換する手段を用いる場合、アンテナ出力端子には複数のテレビ信号が重畳してきているため、全ての信号を配信するためには非常に広い帯域が必要となる。したがって、テレビ信号の配信装置側で何も加工せずにそのまま全てのテレビ信号を配信するわけにはいかない。つまり、必要な信号のみを配信するための仕組みが必要となる。
【０００５】
【発明が解決しようとする課題】
このように、従来のテレビ信号配信システムにあっては、テレビをアンテナ出力端子近く以外に設置することが困難であり、暗黙のうちにアンテナ出力端子のある部屋に設置せざるを得ないという問題点を有していた。また、専用線を設けずに他の伝送手段を用いて他の部屋に設置されたテレビにテレビ信号を配信するためには、アンテナ出力端子から受けたテレビ信号を単純にそのまま伝送用のデータに変換し配信するだけでは、相当広い帯域が必要となり実用的でないという問題点を有していた。
【０００６】
このテレビ信号配信システムでは、テレビ用のアンテナ出力端子が無い部屋においても簡単にテレビを視聴できることが要求されている。
【０００７】
本発明は、この要求を満たすため、テレビ用のアンテナ出力端子が無い部屋においても簡単にテレビを視聴できるテレビ信号配信装置を提供することを目的とする。
【０００８】
【課題を解決するための手段】
上記の課題を解決するために本発明のテレビ信号配信装置は、アンテナ出力端子のある部屋に配置することができ、第１の表示手段にテレビ信号を出力することが可能な第１の電力線通信装置および第２の表示手段にテレビ信号を出力することが可能な第２の電力線通信装置と電力線通信を行うテレビ信号配信装置であって、第１の電力線通信装置と電力線を介して接続することが可能な第１の電源コネクタと、第２の電力線通信装置と接続することが可能な第２の電源コネクタと、第１の電力線通信装置から第１の電源コネクタを介して送られるチャンネル選択信号によって所望のチャンネルを選択する第１のチャンネル制御部と、第２の電力線通信装置から第２の電源コネクタを介して送られるチャンネル選択信号によって所望のチャンネルを選択する第２のチャンネル制御部と、第１のチャンネル制御部により選択されたチャンネルに対応するテレビ信号を電力線通信用信号に変換し、電力線通信用信号を第１の電力線通信装置に第１の電源コネクタを介して送信する第１の電力線モデム部と、第２のチャンネル制御部により選択されたチャンネルに対応するテレビ信号を電力線通信用信号に変換し、電力線通信用信号を第２の電力線通信装置に第２の電源コネクタを介して送信する第２の電力線モデム部と、電力線より第１の電源コネクタを介して供給される電力を、第１のチャンネル制御部、第２のチャンネル制御部、第１の電力線モデム部および第２の電力線モデム部に供給するとともに、第２の電源コネクタを介して第２の電力線通信装置および第２の表示手段に供給する単一の電源供給部とを有し、第１のチャンネル制御部、第２のチャンネル制御部、第１の電力線モデム部、第２の電力線モデム部および電源供給部を内蔵する構成を備えている。
【０００９】
これにより、テレビ用のアンテナ出力端子が無い部屋においても簡単にテレビを視聴できるテレビ信号配信装置が得られる。
【００１０】
本発明の請求項１に記載のテレビ信号配信装置は、アンテナ出力端子のある部屋に配置することができ、第１の表示手段にテレビ信号を出力することが可能な第１の電力線通信装置および第２の表示手段にテレビ信号を出力することが可能な第２の電力線通信装置と電力線通信を行うテレビ信号配信装置であって、第１の電力線通信装置と電力線を介して接続することが可能な第１の電源コネクタと、第２の電力線通信装置と接続することが可能な第２の電源コネクタと、第１の電力線通信装置から第１の電源コネクタを介して送られるチャンネル選択信号によって所望のチャンネルを選択する第１のチャンネル制御部と、第２の電力線通信装置から第２の電源コネクタを介して送られるチャンネル選択信号によって所望のチャンネルを選択する第２のチャンネル制御部と、第１のチャンネル制御部により選択されたチャンネルに対応するテレビ信号を電力線通信用信号に変換し、電力線通信用信号を第１の電力線通信装置に第１の電源コネクタを介して送信する第１の電力線モデム部と、第２のチャンネル制御部により選択されたチャンネルに対応するテレビ信号を電力線通信用信号に変換し、電力線通信用信号を第２の電力線通信装置に第２の電源コネクタを介して送信する第２の電力線モデム部と、電力線より第１の電源コネクタを介して供給される電力を、第１のチャンネル制御部、第２のチャンネル制御部、第１の電力線モデム部および第２の電力線モデム部に供給するとともに、第２の電源コネクタを介して第２の電力線通信装置および第２の表示手段に供給する単一の電源供給部とを有し、第１のチャンネル制御部、第２のチャンネル制御部、第１の電力線モデム部、第２の電力線モデム部および電源供給部を内蔵することとしたものである。
【００１１】
この構成により、各部屋に設置された電力線を通信媒体とする双方向通信が可能であるので、双方向通信を用いて、電力線上に所望のテレビ信号のみが重畳されるようにすることができ、全テレビ信号を重畳させるのに比較して、信号伝送に必要な使用帯域と配信装置における処理負担とを飛躍的に低減することが可能になり、またテレビ信号を伝送する時間も短縮することができるという作用を有する。さらに、ＴＶ信号受信装置の設置は電力線が接続された電源コンセントの近くであればどこでもよく、従来においては問題であったテレビ設置時におけるレイアウトの自由度を高くすることが可能となり、特に複数台のテレビがある場合の自由度が高まるという作用を有する。
【００１６】
請求項２に記載のテレビ信号配信装置は、請求項１に記載のテレビ信号配信装置において、電力供給部は、電力線通信用信号に対して高インピーダンスであることを特徴としたものである。
【００２６】
以下、本発明の実施の形態について、図１〜図８を用いて説明する。
【００２７】
（実施の形態１）
図１は本発明の実施の形態１によるテレビ信号配信システムを示すブロック図である。
【００２８】
図１において、１００はＴＶ信号配信装置、２００はＴＶ信号受信装置、１０１は信号を分配する信号分配器、１０２はＴＶ信号受信装置２００から電力線を介して送られるチャンネル選択信号によって所望のチャンネルを選択すると共に対応するテレビ信号を供給するチャンネル制御部、１０３はチャンネル制御部１０２で選択されたテレビ信号を電力線通信用信号に変換すると共にその電力線通信用信号を送信要求のあったＴＶ信号受信装置２００に対して送信する配信側の電力線モデム部、２０１は所望のテレビ信号のチャンネルを選択すると共にテレビ信号再生装置に対しテレビ信号を供給する情報制御部、２０２は選択したチャンネルを示すチャンネル選択信号を電力線通信用信号に変換してＴＶ信号配信装置１００に送信すると共にＴＶ信号配信装置１００から送出される電力線通信用信号を元のテレビ信号に変換する受信側の電力線モデム部である。また、１０４、２０４は電力線と接続された電源コンセント、１０５、２０５はテレビジョン受像機等のテレビ信号再生装置、１０６はアンテナ出力端子、１０７は電力線、２０６は情報制御部２０１に対して選択するチャンネルを指示したり、音声レベルを指示したりするリモートコントローラ（リモコン）、ＲＭ１はアンテナ出力端子１０６の有る部屋、ＲＭ２はアンテナ出力端子のない部屋である。
【００２９】
このように構成されたテレビ信号配信システムについて、その動作を説明する。
【００３０】
まずＴＶ信号配信装置１００について説明する。信号分配器１０１は、アンテナ出力端子１０６から出力されるアナログテレビ信号をテレビの入力端子とチャンネル制御部１０２に分配する。信号分配器１０１から分配されることにより、テレビ信号再生装置１０５では、問題無くテレビを視聴することができる。チャンネル制御部１０２は、電力線モデム部１０３から伝達されるチャンネル選択信号の示すチャンネル選択番号を記憶し、信号分配器１０１より伝達されるテレビ信号から当該チャンネル信号のみを抽出し、電力線モデム部１０３に対してそのテレビ信号を出力する。電力線モデム部１０３は、チャンネル制御部１０２より出力されるテレビ信号を電力線通信用信号に変換し、電力線にこの信号を重畳する。逆に、電力線モデム部１０３は、ＴＶ信号受信装置２００から電力線１０７を経由して送られる電力線通信用信号をチャンネル制御部１０２に伝達するチャンネル選択信号に変換する。
【００３１】
次に、ＴＶ信号受信装置２００について、その動作を説明する。電力線モデム部２０２は、ＴＶ信号配信装置１００から電力線１０７を介して送信されてきた電力線通信用信号を元のテレビ信号へ変換することにより、通常のテレビ信号（テレビジョン受像機等のテレビ信号再生装置２０５で視聴できるテレビ信号）に変換する。情報制御部２０１は、ユーザが選択したチャンネル番号を記憶し、電力線モデム部２０２に伝達する。電力線モデム部２０２は、受信の際には、電力線１０７を介して送信されてきた電力線通信用信号を分離し復調することにより、通常のテレビ信号を情報制御部２０１に出力する。逆に送信の際には、情報制御部２０１より出力されるチャンネル選択信号を電力線通信用信号に変換し、電力線にこの信号を重畳する。
【００３２】
さらに、図１のテレビ信号配信システムの動作を説明する。
【００３３】
情報制御部２０１は、ユーザがリモートコントローラ２０６などを介して選択したチャンネル番号を識別し、当該番号を記憶する。電力線モデム部２０２は、情報制御部２０１からのチャンネル選択信号を電力線通信用信号に変換し、電力線１０７にその信号を送信する。電力線モデム部１０３は、電力線１０７上の信号から電力線通信用信号を分離し、それを復調することにより、チャンネル選択信号を得て、チャンネル制御部１０２にその信号の示すチャンネル選択番号を伝達する。チャンネル制御部１０２は、そのチャンネル選択番号を記憶し、アンテナ出力端子１０６から所望チャンネルのテレビ信号のみを抽出し、そのテレビ信号を電力線モデム部１０３に伝達する。電力線モデム部１０３は、そのテレビ信号を電力通信用信号に変換し、電力線１０７にその信号を重畳する。電力線モデム部２０２は、電力線１０７上の信号から電力線通信用信号を分離し、それを復調することにより、元のテレビ信号を得る。そして、そのテレビ信号を情報制御部２０１に伝達する。
【００３４】
図２はチャンネル制御部１０２および情報制御部２０１の他の例を示す構成図である。なお、説明の都合上、図１と異なる部分だけでなくシステムの全体図を示している。
【００３５】
図２において、１０２は図１におけるチャンネル制御部であり、１０８はＴＶ信号受信装置２００から電力線を介して送られるチャンネル選択信号によって所望のチャンネルを選択し所望のテレビ信号を得るチャンネル選択部、１０９は選択されたチャンネルのテレビ信号をディジタルテレビデータに変換し圧縮する配信側のデータ変換部である。チャンネル制御部１０２はチャンネル選択部１０８とデータ変換部１０９より構成される。また、２０１は図１における情報制御部であり、２０８は所望のテレビ信号のチャンネルを選択するチャンネル識別部、２０９は圧縮したディジタルテレビデータを解凍する受信側のデータ変換部である。情報制御部２０１はチャンネル識別部２０８とデータ変換部２０９より構成される。なお、チャンネル制御部１０２と情報制御部２０１の構成以外は図１と同様である。
【００３６】
このように構成されたテレビ信号配信システムについて、その動作を説明する。
【００３７】
まずＴＶ信号配信装置１００について説明する。信号分配器１０１は、アンテナ出力端子１０６から出力されるアナログテレビ信号をテレビの入力端子とチャンネル選択部１０８に分配する。チャンネル選択部１０８は、電力線モデム部１０３から伝達されるチャンネル選択信号の示すチャンネル選択番号を記憶し、信号分配器１０１より伝達されるテレビ信号から当該チャンネル信号のみを抽出し、データ変換部１０９に対してそのテレビ信号を出力する。データ変換部１０９は、チャンネル選択部１０８より伝達されるテレビ信号をディジタルテレビデータに変換し、ＭＰＥＧ方式などを利用して圧縮する。電力線モデム部１０３は、データ変換部１０９より出力される圧縮したディジタルテレビデータを電力線通信用信号に変換し、電力線にこの信号を重畳する。逆に、電力線モデム部１０３は、ＴＶ信号受信装置２００から電力線１０７を経由して送られる電力線通信用信号をチャンネル選択部１０８に伝達するチャンネル選択信号に変換する。
【００３８】
次に、ＴＶ信号受信装置２００について、その動作を説明する。電力線モデム部２０２は、ＴＶ信号配信装置１００から電力線１０７を介して送信されてきた電力線通信用信号を圧縮したディジタルテレビデータへ変換し、データ変換部２０９は、電力線モデム部２０２からの圧縮したディジタルテレビデータを解凍することにより、通常のテレビ信号（テレビジョン受像機等のテレビ信号再生装置２０５で視聴できるテレビ信号）に変換する。チャンネル識別部２０８は、ユーザが選択したチャンネル番号を記憶し、電力線モデム部２０２に伝達する。電力線モデム部２０２は、受信の際には、電力線１０７を介して送信されてきた電力線通信用信号を分離し復調することにより、圧縮したディジタルテレビデータを生成し、この圧縮したディジタルテレビデータをデータ変換部２０９に出力する。逆に送信の際には、チャンネル識別部２０８より出力されるチャンネル選択信号を電力線通信用信号に変換し、電力線１０７にこの信号を重畳する。
【００３９】
さらに、図２のテレビ信号配信システムの動作を説明する。
【００４０】
チャンネル識別部２０８は、ユーザがリモートコントローラ２０６などを介して選択したチャンネル番号を識別し、当該番号を記憶する。電力線モデム部２０２は、チャンネル識別部２０８からのチャンネル選択信号を電力線通信用信号に変換し、電力線１０７にそのデータを送信する。電力線モデム部１０３は、電力線１０７上の信号から電力線通信用信号を分離し、それを復調することにより、チャンネル選択信号を得て、チャンネル選択部１０８にその信号の示すチャンネル選択番号を伝達する。チャンネル選択部１０８は、そのチャンネル選択番号を記憶し、アンテナ出力端子１０６から所望チャンネルのテレビ信号のみを抽出し、そのテレビ信号をデータ変換部１０９に伝達する。データ変換部１０９は、そのテレビ信号をデジタルテレビデータに変換し、さらにＭＥＰＧ方式などを利用することにより圧縮した後、電力線モデム部１０３に圧縮ディジタルテレビデータを伝達する。電力線モデム部１０３は、圧縮ディジタルテレビデータを電力通信用信号に変換し、電力線１０７にそのデータを送信する。電力線モデム部２０２は、電力線１０７上の信号から電力線通信用信号を分離し、それを復調することにより、圧縮されたディジタルテレビデータを得る。そして、その圧縮ディジタルテレビデータをデータ変換部２０９に伝達する。データ変換部２０９は、圧縮されたディジタルテレビデータをＴＶ信号配信装置１００で使用した圧縮方式と同一の手段を利用して解凍し、通常のテレビ信号に再変換する。
【００４１】
図３はＴＶ信号配信装置１００の他の例を示す構成図である。
【００４２】
図３において、１０２、１０３は図１と同様のチャンネル制御部、電力線モデム部であり、１１０は構成要素１０２、１０３が搭載されたテレビ信号配信ユニットである。図１の構成では、信号分配器１０１と、チャンネル制御部１０２と、電力線モデム部１０３とが各々単一のもので構成されているが、図３のように、チャンネル制御部１０２と、電力線モデム部１０３とを統合してこれらをユニット化し、当該ユニット（テレビ信号配信ユニット）を追加拡張できるようにＴＶ信号配信装置１００にスロット（収納部）を設け、ＴＶ信号受信装置２００とテレビ信号配信ユニット１１０を１対１に対応させる。これにより、テレビジョン受像機等のテレビ信号再生装置２０５の台数が増えた場合にも柔軟に対応することが可能である。この場合、電力線１０７上で複数のテレビ信号（つまり複数の電力線通信用信号）を多重化させる方式としては、周波数分割多重、時分割多重、符号分割多重、直交周波数分割多重伝送方式のいずれでも構わない。
【００４３】
また、本実施の形態においては、ＴＶ信号受信装置２００からテレビジョン受像機やモニタなどのテレビ信号再生装置２０５にテレビ信号を伝達する際に、ＴＶ信号受信装置２００で音声レベルを変更できるようにＴＶ信号受信装置２００を構成し、かつ音声レベルをリモートコントローラ２０６で操作できるようにする。これにより、テレビ操作におけるチャンネル切替えや音量変更などを単一のリモートコントローラ２０６で行うことが可能となり、ユーザの利便性が向上する。
【００４４】
以上のように本実施の形態によれば、ＴＶ信号配信装置１００は、ＴＶ信号受信装置２００から電力線１０７を介して送られるチャンネル選択信号によって所望のチャンネルを選択するチャンネル制御部１０２と、送信要求のあったＴＶ信号受信装置２００に対してテレビ信号を電力線通信用信号に変換して送信する配信側の電力線モデム部１０３とを有し、ＴＶ信号受信装置２００は、ユーザが所望するチャンネルに対応したチャンネル選択信号を生成すると共に受信側の電力線モデム部２０２で変換したテレビ信号をテレビ信号再生装置２０５に伝達する情報制御部２０１と、チャンネル選択信号を電力線通信用信号に変換してＴＶ信号配信装置１００に送信すると共にＴＶ信号配信装置１００から送出される電力線通信用信号を元のテレビ信号に変換する受信側の電力線モデム部２０２とを有することにより、各部屋に設置された電力線を通信媒体とする双方向通信が可能であるので、双方向通信を用いて、電力線上に所望のテレビ信号のみが重畳されるようにすることができ、全テレビ信号を重畳させるのに比較して、信号伝送に必要な使用帯域と配信装置における処理負担とを飛躍的に低減することが可能になり、またテレビ信号を伝送する時間も短縮することができる。さらに、ＴＶ信号受信装置２０１の設置は電力線１０７が接続された電源コンセント２０４の近くであればどこでもよく、従来においては問題であったテレビ設置時におけるレイアウトの自由度を高くすることが可能となり、特に複数台のテレビがある場合の自由度が高まる。
【００４５】
（実施の形態２）
図４は、本発明の実施の形態２によるテレビ信号配信システムを構成するテレビ受信再生装置を示すブロック図である。本実施の形態は、図１のＴＶ信号受信装置２００をテレビジョン受像機やモニタなどのテレビ信号再生装置２０５に内蔵したものである。また、内蔵する際には、テレビ信号再生装置２０５への電源供給、電力線通信用信号の授受およびＴＶ信号受信装置２００への電源供給を１系統の電源ケーブルで行えるようにする。
【００４６】
図４において、３００はテレビ受信再生装置であり、テレビ受信再生装置３００は、情報制御部３０１と、テレビ表示部３０２と、電力線モデム部３０３と、電源／通信用信号分離部３０４とを有する。
【００４７】
このように構成されたテレビ受信再生装置３００について、その動作を説明する。情報制御部３０１は、送信の際には、ユーザが選択したチャンネル番号を記憶し、電力線モデム部３０３に伝達する。逆に受信の際には、電力線モデム部３０３から伝達されるテレビ信号をテレビ表示部３０２に出力する。テレビ表示部３０２は、テレビ信号に従って映像および音声を出力する。電力線モデム部３０３は、受信の際には、電力線１０７に重畳された信号から所望の電力線通信用信号のみを分離して復調し、情報制御部３０１に伝達する。逆に送信の際には、情報制御部３０１より出力されるチャンネル選択信号を電力線通信用信号に変換し、電力線１０７にこの信号を重畳する。電源／通信用信号分離部３０４は、電力線１０７から電源供給用の商用電源周波数と電力線通信用信号の周波数とを分離抽出し、電源供給用の信号は整流して各部へ供給し、電力線通信用信号は電力線モデム部３０３に伝達する。
【００４８】
以上のように本実施の形態によれば、テレビ信号再生装置としてのテレビ表示部３０２とＴＶ信号受信装置２００との間のテレビ信号授受用の端子間接続が不要となり、同軸ケーブルなどによる配線の手間とコストを省くことができる。電源コンセントにテレビ受信再生装置３００の電源ケーブルを接続するだけでテレビの視聴が可能となるため、ユーザの利便性が向上し、景観を損なう危険性も解消させることができる。
【００４９】
（実施の形態３）
図５は、本発明の実施の形態３によるテレビ信号配信システムを構成するテレビ配信再生装置を示すブロック図である。本実施の形態は、ＴＶ信号配信装置１００をテレビジョン受像機やモニタなどのテレビ信号再生装置に内蔵したものである。この際、実施の形態２と同様、テレビ信号再生装置への電源供給、電力線通信用信号の授受およびＴＶ信号配信装置への電源供給を１系統の電源ケーブルで行えるようにする。
【００５０】
図５において、４００はテレビ配信再生装置であり、テレビ配信再生装置４００は、信号分配部４０１と、テレビ信号処理部４０２と、テレビ信号再生装置としての表示部４０３と、チャンネル制御部４０４と、電力線モデム部４０５と、電源／通信用信号分離部４０６とを有する。
【００５１】
このように構成されたテレビ配信再生装置４００について、その動作を説明する。
【００５２】
信号分配部４０１は、アンテナ出力端子１０６から出力されるアナログテレビ信号をテレビ信号処理部４０２と、チャンネル制御部４０４とに分配する。テレビ信号処理部４０２は、ＴＶ信号配信装置１００を内蔵したテレビ配信再生装置４００において選択されたチャンネル番号に対応するテレビ信号を信号分配部４０１より伝達されるテレビ信号の中から抽出し、表示部４０３で表示できる信号に変換する。表示部４０３は、この変換された信号を受けてモニタに表示する。チャンネル制御部４０４は、電力線モデム部４０５から伝達されるチャンネル番号を記憶し、信号分配部４０１より伝達されるテレビ信号から当該チャンネル信号のみを抽出し、電力線モデム部４０５に対してそのテレビ信号を出力する。電力線モデム部４０５は、チャンネル制御部４０４より出力されるテレビ信号を電力線通信用信号に変換し、電力線にこの信号を重畳する。逆に、ＴＶ信号受信装置２００から電力線１０７を経由して送られる電力線通信用信号をチャンネル制御部４０４に伝達するチャンネル選択信号に復調する。電源／通信用信号分離部４０６は、電力線１０７から電源供給用の商用電源周波数と電力線通信用信号の周波数とを分離抽出し、電源供給用の信号は整流して各部へ供給し、電力線通信用信号は電力線モデム部４０５に伝達する。
【００５３】
以上のように本実施の形態によれば、部屋に設置されたアンテナ出力端子１０６に接続した同軸ケーブルをＴＶ信号配信装置１００のアンテナ入力端子に接続するだけで、テレビを視聴できる上、別に設置されたＴＶ信号受信装置２００に対するテレビ信号の配信が可能となる。このように、従来と同様の接続方法によって、テレビ信号配信システムに必要なネットワークが形成されるため、ユーザがシステムを意識する必要がない。
【００５４】
（実施の形態４）
図６は、本発明の実施の形態４によるテレビ信号配信システムを構成するビデオデッキを示すブロック図である。本実施の形態において、図１のＴＶ信号配信装置１００をビデオデッキに内蔵する。この際、ビデオデッキにテレビ信号再生装置用の電源コンセントを設け、当該電源コンセントにテレビ信号再生装置用の電源ケーブルを接続する。
【００５５】
図６において、５００はビデオデッキであり、このビデオデッキ５００は、信号分配部５０１と、チャンネル制御部５０２、５０４と、電力線モデム部５０３、５０５と、ビデオ信号処理部５０６と、電源コンセント５０７と、電源／通信用信号分離部５０８、電源供給部５０９とを備える。
【００５６】
このように構成されたビデオデッキ５００について、その動作を説明する。
【００５７】
信号分配部５０１は、アンテナ出力端子１０６から出力されるアナログテレビ信号をチャンネル制御部５０２とチャンネル制御部５０４に分配する。チャンネル制御部５０２は、電力線モデム部５０３から伝達されるチャンネル番号を記憶し、信号分配部５０１より伝達されるテレビ信号から当該チャンネル番号に対応するテレビ信号のみを抽出し、電力線モデム部５０３に対して、そのテレビ信号を出力する。また、ビデオ信号処理部５０６から伝達されるビデオ信号としての画像信号および音声信号も同様に電力線モデム部５０３に伝達する。この際、チャンネル制御部５０２では同時に、テレビ信号とビデオ信号の切り替えも行う。チャンネル制御部５０４は、電力線モデム部５０５から伝達されるチャンネル選択信号の示すチャンネル選択番号を記憶し、信号分配部５０１より伝達されるテレビ信号から当該チャンネル番号に対応するテレビ信号のみを抽出し、そのテレビ信号を電力線モデム部５０３に伝達する。電力線モデム部５０３は、チャンネル制御部５０２より出力されるテレビもしくはビデオ信号を電力線通信用信号に変換し、電源コンセント５０７にこの信号を出力する。逆に、電力線モデム部５０３は、ＴＶ信号受信装置２００側から電源ケーブルおよび電源コンセント５０７を経由して送られる電力線通信用信号に変換されたチャンネル番号をチャンネル制御部５０２に伝達する信号（つまりチャンネル選択信号）に変換する。電源コンセント５０７は、テレビ受信再生装置３００に対して電力の供給と電力線通信用信号の授受を行うために設けられたものである。電源コンセント５０７には、ＴＶ信号受信装置の電源プラグが接続される。ビデオ信号処理部５０６は、ビデオカセットの内容を読み出し、チャンネル制御部５０２に伝達する。
【００５８】
電力線モデム部５０５は、チャンネル制御部５０４より出力されるテレビ信号を電力線通信用信号に変換し、電源／通信用信号分離部５０８にこの信号を出力する。逆に、電力線モデム部５０５は、他のＴＶ信号受信装置２００（図１参照）から電力線１０７および電源／通信用信号分離部５０８を経由して送られる電力線通信用信号に変換されたチャンネル番号をチャンネル制御部５０４に伝達する信号（つまりチャンネル選択信号）に変換する。電源／通信用信号分離部５０８は、電力線１０７から電源供給用の商用電源周波数と電力線通信用信号の周波数とを分離抽出し、電源供給用の信号を電源供給部５０９に出力し、電力線通信用信号を電力線モデム部５０５に伝達する。電源供給部５０９は、ビデオデッキ５００内部の各部に対して電力を供給する。また、電源コンセント５０７から見て高インピーダンスになるように構成される。この構成により、電源コンセント５０７から電力が供給されるＴＶ信号受信装置の電源側が上記商用電源と切り離され、ＴＶ信号受信装置２００とビデオデッキ５００との間の伝送路が独立なものとなる。
【００５９】
図７はビデオデッキ５００と各装置等との接続例を示す接続図である。
【００６０】
図７において、１０６は図６と同様のアンテナ出力端子、３００はテレビ受信再生装置（図４参照）、１０４は電力線１０７（図１参照）に接続された電源コンセント、５０７は図６と同様の電源コンセントである。
【００６１】
図７のように、テレビ受信再生装置３００の電源ケーブルをビデオデッキ５００に搭載された電源コンセント５０７に差しこめば、電源と通信の両方において接続されたことと同様になるため、テレビ受信再生装置３００とビデオデッキ５００との間の配線が不要になり、ユーザの配線する手間を省くことが可能となる。
【００６２】
なお、本実施の形態ではＴＶ信号配信装置１００をビデオデッキ５００に内蔵した例を示したが、同様にＴＶ信号受信装置２００（図１）を内蔵することも可能である。
【００６３】
図８はアンテナ出力端子１０６の近くにテレビ信号再生装置を配置する必要のない場合の接続例を示す接続図である。
【００６４】
図８において、１００は図１と同様のＴＶ信号配信装置、１０４は図１と同様の電源コンセント、２００は図１と同様のＴＶ信号受信装置、３００は図４と同様のテレビ信号再生装置、２０４は図１と同様の電源コンセントである。図８に示すように、アンテナ出力端子１０６の近くにＴＶ信号配信装置１００のみを設置することも可能である。
【００６５】
このように、ＴＶ信号配信装置１００、ＴＶ信号受信装置２００、テレビ受信再生装置３００の相互間の接続形態としては種々の形態が考えられる。
【００６６】
以上のように本実施の形態によれば、ＴＶ信号配信装置１００またはＴＶ信号受信装置２００はビデオデッキ５００に内蔵され、ビデオデッキ５００は、１本の電源ケーブルに接続された電源コンセント５０７を有し、１本の電源ケーブルを介して電源供給および電力線からの信号の受信が可能であることにより、テレビ受信再生装置３００は電源コンセント５０７を介して電源供給を受け、またビデオデッキ５００から特別な配線無くテレビ信号を入力することができる。
【００６７】
【発明の効果】
以上説明したように本発明の請求項１に記載のテレビ信号配信装置によれば、アンテナ出力端子のある部屋に配置することができ、第１の表示手段にテレビ信号を出力することが可能な第１の電力線通信装置および第２の表示手段にテレビ信号を出力することが可能な第２の電力線通信装置と電力線通信を行うテレビ信号配信装置であって、第１の電力線通信装置と電力線を介して接続することが可能な第１の電源コネクタと、第２の電力線通信装置と接続することが可能な第２の電源コネクタと、第１の電力線通信装置から第１の電源コネクタを介して送られるチャンネル選択信号によって所望のチャンネルを選択する第１のチャンネル制御部と、第２の電力線通信装置から第２の電源コネクタを介して送られるチャンネル選択信号によって所望のチャンネルを選択する第２のチャンネル制御部と、第１のチャンネル制御部により選択されたチャンネルに対応するテレビ信号を電力線通信用信号に変換し、電力線通信用信号を第１の電力線通信装置に第１の電源コネクタを介して送信する第１の電力線モデム部と、第２のチャンネル制御部により選択されたチャンネルに対応するテレビ信号を電力線通信用信号に変換し、電力線通信用信号を第２の電力線通信装置に第２の電源コネクタを介して送信する第２の電力線モデム部と、電力線より第１の電源コネクタを介して供給される電力を、第１のチャンネル制御部、第２のチャンネル制御部、第１の電力線モデム部および第２の電力線モデム部に供給するとともに、第２の電源コネクタを介して第２の電力線通信装置および第２の表示手段に供給する単一の電源供給部とを有し、第１のチャンネル制御部、第２のチャンネル制御部、第１の電力線モデム部、第２の電力線モデム部および電源供給部を内蔵することにより、各部屋に設置された電力線を通信媒体とする双方向通信が可能であるので、双方向通信を用いて、電力線上に所望のテレビ信号のみが重畳されるようにすることができ、全テレビ信号を重畳させるのに比較して、信号伝送に必要な使用帯域と配信装置における処理負担とを飛躍的に低減することが可能になり、またテレビ信号を伝送する時間も短縮することができるという有利な効果が得られる。さらに、ＴＶ信号受信装置の設置は電力線が接続された電源コンセントの近くであればどこでもよく、従来においては問題であったテレビ設置時におけるレイアウトの自由度を高くすることが可能となり、特に複数台のテレビがある場合の自由度が高まるという有利な効果が得られる。
【００７０】
請求項２に記載のテレビ信号配信装置によれば、請求項１に記載のテレビ信号配信装置において、電力供給部は、電力線通信用信号に対して高インピーダンスであることを特徴としたものである。
【図面の簡単な説明】
【図１】本発明の実施の形態１によるテレビ信号配信システムを示すブロック図
【図２】チャンネル制御部および情報制御部の他の例を示す構成図
【図３】ＴＶ信号配信装置の他の例を示す構成図
【図４】本発明の実施の形態２によるテレビ信号配信システムを構成するテレビ受信再生装置を示すブロック図
【図５】本発明の実施の形態３によるテレビ信号配信システムを構成するテレビ配信再生装置を示すブロック図
【図６】本発明の実施の形態４によるテレビ信号配信システムを構成するビデオデッキを示すブロック図
【図７】ビデオデッキと各装置等との接続例を示す接続図
【図８】アンテナ出力端子の近くにテレビ信号再生装置を配置する必要のない場合の接続例を示す接続図
【符号の説明】
１００  ＴＶ信号配信装置
１０１  信号分配器
１０２、４０４、５０２、５０４  チャンネル制御部
１０３、２０２、４０５、５０３、５０５  電力線モデム部
１０４、２０４  電源コンセント
１０５、２０５  テレビ信号再生装置
１０６  アンテナ出力端子
１０７  電力線
１０８、チャンネル選択部
１０９、２０９  データ変換部
１１０  テレビ信号配信ユニット
２００  ＴＶ信号受信装置
２０１、３０１  情報制御部
２０６  リモートコントローラ
２０８  チャンネル識別部
３００  テレビ受信再生装置
３０２  テレビ表示部
３０４、４０６、５０８  電源／通信用信号分離部
４００  テレビ配信再生装置
４０１、５０１  信号分配部
４０２  テレビ信号処理部
４０３  表示部
５００  ビデオデッキ
５０６  ビデオ信号処理部
５０９  電源供給部
ＲＭ１  アンテナ出力端子のある部屋
ＲＭ２  アンテナ出力端子のない部屋
【図１】
0004815701.tif 000002
【図２】
0004815701.tif 000003
【図３】
0004815701.tif 000004
【図４】
0004815701.tif 000005
【図５】
0004815701.tif 000006
【図６】
0004815701.tif 000007
【図７】
0004815701.tif 000008
【図８】
0004815701.tif 000009